(57)【要約】【課題】本発明は自動支払機に挿入された紙幣が詰まった場合の対応が容易に行えることを課題とする。【解決手段】燃料供給システム１０では、セルフサービス給液方式の計量機１２と、設定器１４と、管理コンピュータ１８とを有する。また、設定器１４は、紙幣が挿入される自動支払機２９が設けられており、設定器１４の制御部５４は、挿入された紙幣が搬送経路で紙幣詰まりになった場合、紙幣鑑別部が紙幣を識別していないと判別された場合、識別された紙幣の金額が入金金額として記憶されていないことを報知する。これにより、係員は容易に紙幣詰まりになった紙幣が入金金額として記憶されたか否かをその場で確認することが可能になり、顧客に対して適切な指示を行える。【選択図】　　図１
2004123119.tif 000002
【特許請求の範囲】
【請求項１】
挿入された紙幣を搬送する搬送経路を有し、該搬送経路を通過した紙幣の金額に応じた燃料の供給量を上限として当該上限値以下の燃料の供給量を設定する設定器と、
前記搬送経路で搬送された紙幣の種類を鑑定し、当該紙幣の金額を識別する紙幣鑑別手段と、
前記紙幣鑑別手段により識別された紙幣を収容する紙幣収容部と、
前記紙幣収容部に収容された紙幣の合計金額を入金金額として記憶する入金金額記憶手段と、
前記紙幣の通過位置を検出する検出手段と、
前記紙幣鑑別手段により紙幣が識別された場合、前記入金金額記憶手段に記憶された入金金額に当該紙幣の金額を加算する加算手段と、
前記検出手段により紙幣が前記紙幣鑑別手段を通過する前に停止したことが検出された場合、識別された紙幣の金額が入金金額として記憶されていないことを報知する報知手段と、
を備えたことを特徴とする燃料供給システム。
【請求項２】
前記報知手段は、前記紙幣鑑別手段により識別された紙幣が前記搬送経路で停止した場合、前記紙幣の金額が入金金額として記憶されていることを報知することを特徴とする請求項１記載の燃料供給システム。
【発明の詳細な説明】
【０００１】
【発明の属する技術分野】
本発明は燃料供給システムに係り、特に給液所で燃料を車両に供給するときに設定器に紙幣を投入して給液量を設定するよう構成した燃料供給システムに関する。
【０００２】
【従来の技術】
例えば、セルフサービス方式の計量機が設置された給液所等では、運転者自身が給液作業の設定、給液作業、給液料金の精算を行うようになっている。そのため、運転者は、給液を行う前に給液する油種や給液量等のスイッチを有する設定器により所定の油種、給液量または給液金額を入力する設定操作を行った後、給液料金の精算方法を指定するようになっている。給液料金の精算方法としては、現金で支払う方法、クレジットカードで支払う方法等がある。
【０００３】
また、セルフサービス方式の計量機に給液量または給液金額の設定を行う設定器及び紙幣が入金される自動支払機が設けられている所謂アイランド精算方式の場合には、給液場所で給液料金の精算を行うことができる。この自動支払機は、紙幣挿入部及び紙幣収容部が設けられ、挿入された紙幣の種類を鑑別する紙幣鑑別部と、挿入された紙幣金額（入金金額）を表示する表示部とを有する（例えば、特許文献１参照）。
そして、アイランド精算方式の燃料供給システムでは、給液前に予め給液量または給液金額をプリセットする場合、運転者は、まず自動支払機に紙幣（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、計量機が給液可能状態になる
【特許文献１】
特開２００２−２８９４号公報（第３頁、図３）。
【０００４】
【発明が解決しようとする課題】
上記のような自動支払機が備えられたアイランド精算方式の燃料供給システムでは、例えば、紙幣挿入部に挿入された紙幣が紙幣詰まりになってしまった場合、
紙幣を挿入した顧客から給油所の事務所に苦情が寄せられて係員が当該自動支払機の場所へ出向くことにより、紙幣詰まりとなった紙幣を自動支払機から取り出す操作を行う。
【０００５】
しかしながら、給油所の係員は、紙幣詰まりとなった紙幣が入金金額として記憶されているのか、あるいは未入金なのかを確認できず、顧客に対して紙幣詰まりとなった紙幣を返却して良いのか、あるいは紙幣を返却せずに入金済みとして給油操作を行うようにして良いのかを判断できないおそれがあった。
【０００６】
そこで、本発明は上記課題を解決した燃料供給システムを提供することを目的とする。
【０００７】
【課題を解決するための手段】
本発明は上記課題を解決するため、以下のような特徴を有する。
上記請求項１記載の発明は、挿入された紙幣を搬送する搬送経路を有し、搬送経路を通過した紙幣の金額に応じた燃料の供給量を上限として当該上限値以下の燃料の供給量を設定する設定器と、搬送経路で搬送された紙幣の種類を鑑定し、当該紙幣の金額を識別する紙幣鑑別手段と、紙幣鑑別手段により識別された紙幣を収容する紙幣収容部と、紙幣収容部に収容された紙幣の合計金額を入金金額として記憶する入金金額記憶手段と、紙幣の通過位置を検出する検出手段と、紙幣鑑別手段により紙幣が識別された場合、入金金額記憶手段に記憶された入金金額に当該紙幣の金額を加算する加算手段と、検出手段により紙幣が紙幣鑑別手段を通過する前に停止したことが検出された場合、識別された紙幣の金額が入金金額として記憶されていないことを報知する報知手段と、を備えたものであり、挿入された紙幣が搬送経路で紙幣詰まりになった場合、当該紙幣が入金金額として記憶されていないことを報知できるので、係員は容易に紙幣詰まりになった紙幣が入金金額として記憶されたか否かをその場で確認することが可能になる。
【０００８】
また、請求項２記載の発明は、紙幣鑑別手段により識別された紙幣が搬送経路で停止した場合、紙幣の金額が入金金額として記憶されていることを報知するものであり、係員は容易に紙幣詰まりになった紙幣が入金金額として記憶されたか否かをその場で確認することが可能になる。
【０００９】
【発明の実施の形態】
以下、図面と共に本発明の実施の形態について説明する。
図１は本発明になる燃料供給システムの一実施例の構成図である。
図１に示されるように、燃料供給システム１０は、給液エリア１１に設置されたセルフサービス給液方式の計量機１２と、計量機１２に隣接するように設けられた設定器１４と、事務所１６内に設置された管理コンピュータ１８と、管理コンピュータ１８に接続された記憶装置１９とを有する。
【００１０】
設定器１４は、管理コンピュータ１８と通信回線（例えば、ＳＳ−ＬＡＮ）２０を介して接続されており、後述するように紙幣のみを扱う自動支払機２９（図３参照）が設けられた一部アイランド精算方式が採用されている。そして、事務所１６内には、紙幣以外の小銭（硬貨）による釣銭（千円未満の釣銭）を支払うための釣銭機２４及び地下タンク（図示せず）の液位を検出する液面計２５が設置されている。尚、釣銭機２４は、事務所１６外に設けても良い。
【００１１】
また、給液エリア１１には、計量機１２及び設定器１４の周辺を監視するための監視カメラ２１が設けられており、事務所内に設置されたモニタ２３には、監視カメラ２１で撮像された画像が表示される。さらに、管理コンピュータ１８は、油液の販売管理を行うＰＯＳ端末機２２とが接続されている。
【００１２】
図２は燃料供給システム１０の全体構成を示すブロック図である。
図２に示されるように、燃料供給システム１０では、４台の計量機１２（１２１〜１２４）が設置されている。管理コンピュータ１８は、４台の計量機１２（１２１〜１２４）及び設定器１４（１４１〜１４４）と通信回線（ＳＳ−ＬＡＮ）２０を介して接続されている。
【００１３】
管理コンピュータ１８は、設定器１４から送信された入金金額の合計値を記憶装置１９に記憶させる制御プログラムと、設定器１４から送信された紙幣検出信号により自動支払機２９に挿入された紙幣が搬送経路で詰まってしまったこと報知する制御プログラムとを備えている。
【００１４】
図３は設定器１４の概略構成を示すブロック図である。
図３に示されるように、設定器１４は、油種入力部２６と、油種設定部２８と、自動支払機２９と、収容蓋スイッチ３６と、確認スイッチ釦３８ａ，３８ｂと、油種表示部４０と、入金金額表示部４２と、単価表示部４４と、スピーカ４８と、レシートランプ釦５０と、給液ランプ５１と、レシート発行部５２と、お釣りランプ５３と、これらを制御する制御部５４とを有する。
【００１５】
油種入力部２６は、操作者が給液する油種（レギュラーガソリン、ハイオクガソリン、軽油のいずれか）を指定するものであり、油種設定部２８は油種入力部２６により入力された油種を今回給液する油種情報として設定する。
【００１６】
自動支払機２９は、紙幣挿入部３０と、紙幣鑑別部（紙幣鑑別手段）３２と、紙幣返却部３３と、紙幣収容部３４とを有する。紙幣挿入部３０には、給液前に１万円札、５千円札、千円札等の紙幣のみが挿入される。そして、紙幣鑑別部３２では、紙幣挿入部３０に挿入された紙幣の鑑定を行って、紙幣の種類に応じた入金金額を検出する。
【００１７】
紙幣返却部３３の内部は、紙幣を種類別に収容できるように仕切られており、１万円札、５千円札、千円札を個別に収容する各室が設けられている。そして、紙幣鑑別部３２で鑑定された紙幣は、種類別（１万円札、５千円札、千円札）に分類されて紙幣収容部３４に収容される。また、紙幣返却部３３は、入金後のプリセット操作により紙幣（千円以上）による釣銭が有る場合、紙幣収容部３４に収容された紙幣のなかから釣銭としての紙幣を取出して排出する。
【００１８】
給液所の係員は、定期的に紙幣収容部３４に収容された紙幣を回収する。自動支払機２９は、キーロックされた蓋２９ａ（図４参照）を有しており、蓋２９ａが開放されると、収容蓋スイッチ３６がオンになって紙幣の回収作業が行われたことを検出できる。
【００１９】
確認スイッチ釦３８ａ，３８ｂは、油種表示部４０に表示された油種、及び入金金額表示部４２に表示された入金金額が確認されると、ＹＥＳまたはＮＯによって選択的に操作される。また、確認スイッチ釦３８ａ，３８ｂは、ランプが内蔵されており、後述するように入金があると、点滅して操作順序を報知する。
【００２０】
レシートスイッチ５０は、給液終了後に点灯してレシート発行部５２からのレシート発行を報知するものである。また、お釣りランプ５３は、給液後に釣銭があるとき点灯して釣銭があることを顧客に報知する。そして、レシート発行部５２は、給液終了後、給液した油種、給液量、給液金額、釣銭を印字したレシートを発行する。また、スピーカ４８は、油種設定の操作方法や入金方法や釣銭を受け取る場合の方法を音声でガイダンスする。
【００２１】
制御部５４のメモリ５５には、紙幣収容部３４に収容されている紙幣の合計金額を入金金額として記憶する制御プログラム（入金金額記憶手段）と、紙幣が紙幣収容部３４に収容されたと判別された場合、入金金額の合計値に当該紙幣の金額を加算する制御プログラム（加算手段）と、紙幣詰まりが発生した場合、挿入された紙幣の金額が入金金額として記憶されているか否かを報知する制御プログラム（報知手段）と、が格納されている。
【００２２】
図４は紙幣搬送経路の一例を示す構成図である。
図４に示されるように、紙幣挿入部３０と紙幣収容部３４との間には、紙幣を搬送する紙幣搬送経路７０が設けられている。この紙幣搬送経路７０には、紙幣挿入部３０に挿入された紙幣を搬送する第１ローラ７２，７３と、上記紙幣鑑別部３２と、紙幣鑑別部３２で識別された紙幣を紙幣収容部３４へ搬送する第２ローラ７４，７５とが設けられている。
【００２３】
従って、紙幣挿入部３０に挿入された紙幣は、第１ローラ７２，７３の回転により紙幣鑑別部３２に搬送されて紙幣の紋様（金額に応じたデータ）が読み取られると、当該金額データを識別され、その後、第２ローラ７４，７５の回転により紙幣収容部３４へ搬送されて収容される。
【００２４】
さらに、紙幣搬送経路７０には、紙幣挿入部３０に挿入された紙幣８０を検出する第１の紙幣検出センサ７６と、紙幣鑑別部３２に搬送された紙幣８０を検出する第２の紙幣検出センサ７７と、紙幣鑑別部３２を通過した紙幣８０を検出する第３の紙幣検出センサ７８と、紙幣収容部３４へ収容された紙幣８０を検出する第４の紙幣検出センサ７９とが設けられている。尚、紙幣検出センサ７６〜７９は、紙幣を光学的に検出する光センサからなる。
【００２５】
従って、第１の紙幣検出センサ７６は、紙幣挿入部３０に設けられ、紙幣８０が紙幣挿入部３０に挿入されると、その検出信号を出力する。第２の紙幣検出センサ７７は、紙幣鑑別部３２の入り口に設けられ、紙幣鑑別部３２に搬送された紙幣８０の検出信号を出力する。第３の紙幣検出センサ７８は、紙幣鑑別部３２の出口に設けられ、紙幣８０が紙幣鑑別部３２を通過すると、その検出信号を出力する。第４の紙幣検出センサ７９は、紙幣収容部３４の入り口に設けられ、紙幣鑑別部３２を通過した紙幣８０が紙幣収容部３４へ収容されたとき、その検出信号を出力する。
【００２６】
そして、制御部５４は、第３の紙幣検出センサ７８からの検出信号により紙幣鑑別部３２で読み取られた金額をメモリ５５に記憶された入金金額に加算する（加算手段）。
【００２７】
次に、設定器１４に設けられた操作パネルの構成及び操作手順について説明する。
【００２８】
図５は設定器１４に設けられた操作パネルの一例を示す正面図である。
図５に示されるように、設定器１４の操作パネル５６は、上から順に▲１▼油の種類を押す、▲２▼お金を入れる、▲３▼確認する、▲４▼給液開始、▲５▼レシートを取るといった操作手順が記載されている。
【００２９】
「▲１▼油の種類を押す」の欄には、給液する油種を指定するための油種入力部２６として軽油釦５８、ハイオク釦６０、レギュラー釦６２が配置されている。また、軽油釦５８、ハイオク釦６０、レギュラー釦６２は、ランプが内蔵されており、後述するようにオンに操作されると点灯して選択された油種であることを表示する。
【００３０】
「▲２▼お金を入れる」の欄には、紙幣を挿入する紙幣挿入部３０と紙幣返却部３３とを有する自動支払機２９、入金金額表示部４２、単価表示部４４が設けられている。また、自動支払機２９の蓋２９ａは、通常、キーによりロックされており、紙幣回収時にロック解除されて開かれる。また、自動支払機２９は、蓋２９ａが開かれたことを検出する収容蓋スイッチ３６と、紙幣鑑別部３２と、紙幣収容部３４とを有する。そして、自動支払機２９の蓋２９ａは、紙幣収容部３４に収容された紙幣が回収されると、閉塞されてロックされる。
【００３１】
「▲３▼確認する」の欄には、ＹＥＳ確認スイッチ釦３８ａとＮＯ確認スイッチ釦３８ｂとが設けられている。
【００３２】
「▲４▼給液開始」の欄には、給液許可がおりたことを点滅して報知する給液ランプ５１が設けられている。
【００３３】
「▲５▼レシート」の欄には、レシートスイッチ５０と、レシート発行部５２と、お釣りランプ５３とが設けられている。
【００３４】
ここで、上記燃料供給システム１０において行われる給液操作について説明する。
給液のため給液所に到着した車両の操作者は、まず給液エリア１１の空いている計量機１２の前に車両を停車させてから設定器１４の設定操作を行う。そして、設定器１４による油種、給液金額を設定し終わると、計量機１２の給液ノズルを車両の給液口（図示せず）に挿入して給液を開始する。
【００３５】
次に、顧客（運転者）及び給液所の監視者（係員）が行う操作手順について説明する。
図６は顧客（運転者）及び給液所の監視者（係員）が行う操作手順について説明するフローチャートである。
図６に示されるように、顧客（運転者）が設定器１４において、軽油釦５８、ハイオク釦６０、レギュラー釦６２の何れかをオンに操作して油種選択操作を行った（Ｓ１１）後、紙幣を紙幣挿入部３０に挿入すると、入金金額が入金金額表示部４２に表示される（Ｓ１２）。
【００３６】
次に顧客が、給液金額のプリセット設定を行うと共に、プリセットされた給液金額に相当する給液量を表示する（Ｓ１３）。そして、表示された給液金額及び給液量が間違っているときは（Ｓ１４）、確認スイッチ釦３８ｂをオンに操作する（Ｓ１５）。この場合、顧客は設定操作を最初からやり直す。
【００３７】
また、表示された給液金額及び給液量が正しければ（Ｓ１４）、確認スイッチ釦３８ａをオンに操作する（Ｓ１６）。そして、紙幣の釣銭（千円以上）があるかどうかを判断して（Ｓ１７）、紙幣の釣銭があるときは、紙幣返却部３３に釣銭としての紙幣を排出する（Ｓ１８）。上記プリセット操作が終了すると、計量機１２において、給液ノズル（図示せず）をノズル掛けから外して（Ｓ１９）、車両の給液口に挿入する。
【００３８】
この後、給液所の事務所において、管理コンピュータ１８は、計量機１２からの給液許可要求信号を受けて給液許可待ち状態になる（Ｓ２０）。給液所の係員（監視者）は、計量機１２からの給液許可要求に対して設定器１４により設定されたプリセット値とモニタ２３に表示された当該計量機１２周辺の画像を確認して給液許可を出力する（Ｓ２１）。
【００３９】
計量機１２では、給液許可信号を受信すると、給液ランプ５１が点滅し、ポンプ（図示せず）が起動されて給液が開始される（Ｓ２２）。そして、プリセットされた給液量が給液されると、ポンプが停止される（Ｓ２３）。顧客が給液ノズルを計量機１２のノズル掛けに戻すと（Ｓ２４）、設定器１４では給液量と入金金額との差を求めて釣銭（千円以下）の有無を判別する（Ｓ２５）。
【００４０】
釣銭（千円以下）があるときは、レシートランプ釦５０を点滅させてレシート発行部５２からレシートを発行する（Ｓ２６）。その後、給液所の事務所において、係員（監視者）は、釣銭機２４に伝票番号を入力して釣銭の払い出しを許可する（Ｓ２７）。
【００４１】
顧客は、給液終了後、釣銭機２４から釣銭を受取る（Ｓ２８）。これで、給液及び精算処理は終了する（Ｓ２９）。
【００４２】
また、Ｓ２５で釣銭がないときは、レシートランプ釦５０を点滅させる（Ｓ３０）。顧客がレシートランプ釦５０を押圧してオンに操作すると（Ｓ３１）、レシート発行部５２からレシートを発行する（Ｓ３２）。これで、給液及び精算処理は終了する（Ｓ３３）。
【００４３】
また、Ｓ３１で顧客がレシートランプ釦５０を押圧操作しないときは、３０秒経過したかどうかを確認する（Ｓ３４）。尚、３０秒が経過してもレシートランプ釦５０が押圧操作されないときは、レシートランプ釦５０を消灯させ（Ｓ３５）、給液及び精算処理を終了する。
【００４４】
次に上記燃料供給システム１０の設定器１４で実行される入金・回収処理について説明する。
図７は設定器１４の制御部５４が実行する入金・回収処理を説明するためのフローチャートである。
図７に示されるように、設定器１４の制御部５４は、Ｓ４１において、第１の紙幣検出センサ７６から検出信号が出力されたかどうかをチェックする。Ｓ４１で、第１の紙幣検出センサ７６から検出信号が出力されていないときは、紙幣８０が紙幣挿入部３０に挿入されていないものと判断してＳ４２に進む。
【００４５】
Ｓ４２では、自動支払機２９の紙幣収容部３４に収容された未回収の紙幣８０を回収したかどうかをチェックする。Ｓ４２で収容蓋スイッチ３６がオフの場合には、自動支払機２９の蓋２９ａが開かれていないので、上記Ｓ４１に戻る。
【００４６】
上記Ｓ４２において、収容蓋スイッチ３６がオンの場合には、自動支払機２９の蓋２９ａが開かれて紙幣収容部３４に収容された紙幣８０が係員によって回収されたものと判断し、Ｓ４３に進む。Ｓ４３では、紙幣収容部３４から回収された紙幣８０の合計金額（入金金額）を管理コンピュータ１８へ送信すると共に、印字した伝票を発行させる。
【００４７】
次のＳ４４では、メモリ５５に記憶された入金金額の合計値をリセットする。そして、Ｓ４１に戻る。
【００４８】
また、上記Ｓ４１において、第１の紙幣検出センサ７６から検出信号が出力されたときは、Ｓ４５に進み、第１ローラ７２，７３及び、第２ローラ７４，７５を回転駆動させる。これで、紙幣挿入部３０に挿入された紙幣８０が搬送経路７０を搬送される。
【００４９】
次のＳ４６では、第２の紙幣検出センサ７７から検出信号が出力されたかどうかをチェックする。Ｓ４６で、第２の紙幣検出センサ７７から検出信号が出力されていないときは、紙幣８０が紙幣鑑別部３２に搬送されていないものと判断してＳ４７に進む。
【００５０】
Ｓ４７では、予め決められた所定時間が経過したかどうかをチェックする。Ｓ４７において、所定時間が経過するまで、上記Ｓ４６の処理を繰り返す。そして、Ｓ４７において、所定時間が経過したときは、Ｓ４８に進み、紙幣８０が紙幣鑑別部３２の入り口付近で詰まったものと判断し、紙幣８０の停止位置をメモリ５５に記憶させると共に、当該紙幣８０が識別前（金額データをメモリ５５に記憶する前）に詰まったことをレシートに印字して発行する。その後、後述するＳ６１以降の処理を実行する。
【００５１】
また、上記Ｓ４６において、第２の紙幣検出センサ７７から検出信号が出力されているときは、紙幣８０が紙幣鑑別部３２に搬送されたものと判断してＳ４９に進む。このように第１ローラ７２，７３の回転により搬送経路７０を搬送された紙幣８０は、Ｓ４９で紙幣鑑別部３２を通過する過程で印刷された紋様を光学的に読み取られる。
【００５２】
次のＳ５０では、紙幣鑑別部３２から出力された当該紙幣の金額データが正規の金額データと照合する。Ｓ５１において、紙幣鑑別部３２から出力された当該紙幣８０の金額データが正規の金額データと一致しないときは、Ｓ５２に進み、当該紙幣８０がエラーであることを報知する。そして、Ｓ５３では、第１ローラ７２，７３を逆回転させて当該紙幣８０を返却する。その後、後述するＳ６５の処理に移行する。
【００５３】
また、上記Ｓ５１において、紙幣鑑別部３２から出力された当該紙幣８０の金額データが正規の金額データと一致したときは、Ｓ５４に進み、紙幣鑑別部３２で読み取った紙幣８０の金額データをメモリ５５に記憶させる。
【００５４】
次のＳ５５では、第３の紙幣検出センサ７８から検出信号が出力されたかどうかをチェックする。Ｓ４８で、第３の紙幣検出センサ７８から検出信号が出力されていないときは、紙幣８０が紙幣鑑別部３２を通過していないものと判断してＳ５６に進む。
【００５５】
Ｓ５６では、予め決められた所定時間が経過したかどうかをチェックする。Ｓ５６において、所定時間が経過するまで、上記Ｓ５５の処理を繰り返す。そして、Ｓ５６において、所定時間が経過したときは、Ｓ５７に進み、紙幣８０が紙幣鑑別部３２で詰まったものと判断し、紙幣８０の停止位置をメモリ５５に記憶させると共に、当該紙幣８０が識別後（金額データをメモリ５５に記憶した後）に詰まったことをレシートに印字して発行する。その後、後述するＳ６１以降の処理を実行する。
【００５６】
また、上記Ｓ５５において、第３の紙幣検出センサ７８から検出信号が出力されているときは、紙幣８０が紙幣鑑別部３２を通過したものと判断してＳ５８に進む。このＳ５８では、第４の紙幣検出センサ７９から検出信号が出力されたかどうかをチェックする。Ｓ５８で、第４の紙幣検出センサ７９から検出信号が出力されていないときは、紙幣８０が紙幣収容部３４に収容されていないものと判断してＳ５９に進む。
【００５７】
Ｓ５９では、予め決められた所定時間が経過したかどうかをチェックする。Ｓ５９において、所定時間が経過するまで、上記Ｓ５８の処理を繰り返す。そして、Ｓ５９において、所定時間が経過したときは、Ｓ６０に進み、紙幣８０が紙幣鑑別部３２と紙幣収容部３４との間で詰まったものと判断し、紙幣８０の停止位置をメモリ５５に記憶させると共に、当該紙幣８０の金額をメモリ５５に記憶させる。
【００５８】
次のＳ６１では、第１ローラ７２，７３及び、第２ローラ７４，７５の回転駆動を停止させる。続いて、Ｓ６２に進み、紙幣詰まり信号を管理コンピュータ１８へ出力して自動支払機２９が紙幣詰まり状態であることを報知する。これにより、管理コンピュータ１８の係員は、自動支払機２９で紙幣詰まりが発生したことを確認して、当該設定器１４へ移動して自動支払機２９を調べる。
【００５９】
Ｓ６３では、搬送経路７０で紙幣詰まり状態となった紙幣８０が除去されたことを確認する。このＳ６３では、管理コンピュータ１８に報知された紙幣詰まり状態を確認した係員が自動支払機２９の蓋２９ａを開いて搬送経路７０で紙幣詰まり状態となった紙幣８０を除去する。そのため、Ｓ６３において、収容蓋スイッチ３６がオンの場合には、紙幣詰まり状態となった紙幣８０が除去されたものと判断する。これで、今回の処理が終了する。
【００６０】
また、上記Ｓ５８において、第４の紙幣検出センサ７９から検出信号が出力されたときは、紙幣８０が紙幣収容部３４に収容されたものと判断してＳ６４に進む。Ｓ６４では、自動支払機２９に入金された入金金額の合計値に今回挿入された紙幣８０の金額を加算してメモリ５５に記憶された入金金額合計値を更新する。
【００６１】
続いて、Ｓ６５に進み、第１ローラ７２，７３及び、第２ローラ７４，７５の回転駆動を停止させる。これで、今回の処理が終了する。
【００６２】
このように、各紙幣検出センサ７６〜７９の検出信号により搬送経路７０を搬送される紙幣８０の通過位置を確認することが可能になると共に、搬送経路７０で紙幣が所定時間以上停止した場合には、紙幣詰まりが生じたものと判断し、これを報知するため、紙幣８０がどの位置で詰まったかを判別でき、且つ紙幣８０から読み取られた金額データがメモリ５５の入金金額の合計値に加算されたかどうかを確認することが可能になる。
【００６３】
よって、搬送経路７０を搬送される紙幣８０が途中で停止した場合、紙幣８０の停止位置、及び紙幣鑑別部３２によって金額データが読み取られてメモリ５５に入金金額として記憶されたかどうかを確認することが可能になり、係員は、搬送経路７０から除去した紙幣８０を顧客に返却すべきかどうかを判断することができる。すなわち、係員は、紙幣鑑別部３２によって読み取られた金額データがメモリ５５に入金金額として記憶されたときは、搬送経路７０から除去した紙幣８０を顧客に返却する必要がなく、顧客に対して給油操作を行うように指示する。しかし、紙幣８０が搬送経路７０の途中で停止しても紙幣鑑別部３２によって読み取られた金額データがメモリ５５に入金金額として記憶されていないときは、搬送経路７０から除去した紙幣８０を顧客に返却する。そして、係員は、顧客に対して、別の紙幣を挿入するように指示する。
【００６４】
尚、上記実施の形態では、地上設置型の計量機に取り付けられた構成を一例として挙げたが、これに限らず、懸垂式の給液装置にも適用できるのは勿論である。
【００６５】
また、上記実施の形態では、ガソリンや軽油等の油液を車両の燃料タンクに給油する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６６】
【発明の効果】
上述の如く、上記請求項１記載の発明によれば、挿入された紙幣を搬送する搬送経路を有し、搬送経路を通過した紙幣の金額に応じた燃料の供給量を上限として当該上限値以下の燃料の供給量を設定する設定器と、搬送経路で搬送された紙幣の種類を鑑定し、当該紙幣の金額を識別する紙幣鑑別手段と、紙幣鑑別手段により識別された紙幣を収容する紙幣収容部と、紙幣収容部に収容された紙幣の合計金額を入金金額として記憶する入金金額記憶手段と、紙幣の通過位置を検出する検出手段と、紙幣鑑別手段により紙幣が識別された場合、入金金額記憶手段に記憶された入金金額に当該紙幣の金額を加算する加算手段と、検出手段により紙幣が紙幣鑑別手段を通過する前に停止したことが検出された場合、識別された紙幣の金額が入金金額として記憶されていないことを報知する報知手段と、を備えたものであり、挿入された紙幣が搬送経路で紙幣詰まりになった場合、当該紙幣が入金金額として記憶されていないことを報知できるので、係員は容易に紙幣詰まりになった紙幣が入金金額として記憶されたか否かをその場で確認でき、顧客に対して適切な指示を行える。
【００６７】
また、請求項２記載の発明によれば、紙幣鑑別手段により識別された紙幣が搬送経路で停止した場合、紙幣の金額が入金金額として記憶されていることを報知するため、係員は容易に紙幣詰まりになった紙幣が入金金額として記憶されたか否かをその場で確認することができる。
【図面の簡単な説明】
【図１】本発明になる燃料供給システムの一実施例の構成を示すブロック図である。
【図２】燃料供給システム１０の全体構成を示すブロック図である。
【図３】設定器１４の概略構成を示すブロック図である。
【図４】設定器１４に設けられた操作パネルの一例を示す正面図である。
【図５】顧客（運転者）及び給液所の監視者（係員）が行う操作手順について説明するフローチャートである。
【図６】設定器１４の制御部５４が実行する入金・回収処理を説明するためのフローチャートである。
【図７】管理コンピュータ１８が実行する精算処理を説明するためのフローチャートである。
【符号の説明】
１０　燃料供給システム
１２（１２１〜１２４）　計量機
１４（１４１〜１４４）　設定器
１８　管理コンピュータ
１９　記憶装置
２４　釣銭機
２９　自動支払機
３０　紙幣挿入部
３２　紙幣鑑別部
３３　紙幣返却部
３４　紙幣収容部
３６　収容蓋スイッチ
３８ａ，３８ｂ　確認スイッチ釦
４２　入金金額表示部
５２　レシート発行部
５４　制御部
５５　メモリ
５６　操作パネル
７０　紙幣搬送経路
７２，７３　第１ローラ
７４，７５　第２ローラ
７６　第１の紙幣検出センサ
７７　第２の紙幣検出センサ
７８　第３の紙幣検出センサ
７９　第４の紙幣検出センサ
８０　紙幣
【図１】
2004123119.tif 000003
【図２】
2004123119.tif 000004
【図３】
2004123119.tif 000005
【図４】
2004123119.tif 000006
【図５】
2004123119.tif 000007
【図６】
2004123119.tif 000008
【図７】
2004123119.tif 000009